(57)【特許請求の範囲】
【請求項１】
夫々長手方向が重力方向に位置するように、コンクリートの壁面に設けた取付部材（１）を介して着脱自在にその壁面に並列固定され、その長手方向に互いに離間して一対づつのＵボルト取付孔（２）が、複数組設けられた長尺な一対のラック枠（３）と、
そのラック枠（３）の夫々の一対のＵボルト取付孔（２）に両脚部が着脱自在に締結される複数のＵボルト（４）と、を具備し、
前記ラック枠（３）は、壁面側に位置する壁面側長尺材（３ａ）を有し、その壁面側長尺材（３ａ）に非壁面側から被仮置き配管（５）を水平に挿脱自在に挿入出来るように、その壁面側長尺材（３ａ）の非壁面側は開放されまたは、開放可能に形成され、
被仮置き配管（５）が、一対の前記ラック枠（３）に横架されると共に、その両ラック枠（３）に取りつけた前記Ｕボルト（４）により、その被仮置き配管（５）が両ラック枠（３）に締結固定される配管仮置きラック。
【請求項２】
請求項１において、
夫々のラック枠（３）は、
前記壁面側長尺材（３ａ）にその長手方向に互いに離間して、夫々の一端が着脱自在に締結固定されて、前記非壁面側に突設されると共に、一対の前記Ｕボルト取付孔（２）が穿設された複数の横部材（３ｂ）と、
隣り合う前記横部材（３ｂ）の他端どうしを着脱自在に連結する縦部材（３ｃ）
と、により梯子状に組み立てられる配管仮置きラック。
【請求項３】
請求項１または請求項２において、
夫々の前記ラック枠（３）の上端に吊り上げ材（６）が設けられた配管仮置きラック。
【請求項４】
請求項１〜請求項３のいずれかにおいて、
壁面の前記取付部材（１）は、ラック枠（３）の下端部を支持する下端支持材（１Ｄ）と、ラック枠（３）の上端部を支持する上端支持材（１Ｕ）と、を有し、その下端支持材（１Ｄ）は、直角三角形に形成され、直角部が壁面に当接してアンカー等の固定具を介して固定された受けブラケット（１ａ）と、該受けブラケット（１ａ）の上面水平部に載置・固定された渡し材（１ｂ）と、を有し、
前記上端支持材（１Ｕ）は、僅かに離間して壁面から平行に突設された一対の案内部材（１ｘ）と、夫々の案内部材（１ｘ）を一体化する連結部材（１ｙ）とを有する配管仮置きラック。
【請求項５】
請求項３に記載の配管仮置きラックを用い、
並列された一対の前記ラック枠（３）に、複数の被仮置き配管（５）を並列横架すると共に、夫々のラック枠（３）の前記Ｕボルト（４）でその被仮置き配管（５）を、前記両ラック枠（３）に締結固定する工程と、
次いで、前記吊り上げ材（６）をクレーンで吊り上げ、そのラック枠（３）を壁面の取付部材（１）を介して壁面に固定する工程と、
を有する配管仮置きラックの取付方法。
【請求項６】
請求項１において、
夫々の前記ラック枠（３）が、前記壁面側長尺材（３ａ）と、その壁面側長尺材（３ａ）の長手方向に離間して一対づつの複数組設けられた前記Ｕボルト取付孔（２）と、を有し、
その壁面側長尺材（３ａ）の上下両端部が、壁面にアンカーで構成された取付部材（１）を介して着脱自在に固定されると共に、前記Ｕボルト取付孔（２）に着脱自在に設けられたＵボルト（４）により被仮置き配管（５）が締結固定される配管仮置きラック。
【発明の詳細な説明】
【０００１】
【発明の属する技術分野】
本発明は、原子力発電所等において縦横に敷設される配管類の素材の、建設途上における保管手段に関する。
【０００２】
【従来の技術】
例えば原子力発電所の建設に際しては、一般に発電所用の広大な敷地の一角に資材置き場や現場加工のための工作場が設けられる。資材置き場には各種の資材が搬入され積み降ろされ、保管され、請け出される。また、工作場では、様々な現場加工用工具その他を保有し、所要の加工作業が行われる。資材は、もちろん所要の時期に合わせて搬入されるように配慮されるが、必ずしも理想通りに実現できるとは限らない。
しかも、資材は実に多様かつ多量であって、限りあるスペースで所要の素材を必要に応じて請け出せるように保管し、管理するには、それなりの工夫と時間を必要とする。
【０００３】
その中で特に配管用の素材は、一般に定尺と呼ばれる５ｍ長さを備え、材種や太さ、肉厚などの種類や、それぞれの数量が多く、従来から、敷地を大きく占有する悩みがあった。このため、資材置き場の巨大化や配管の作業性にも配慮して固有の保管場所を使用場所により近い原子炉建屋周辺に別途確保し、種別に整理・保管することも行われた。しかし、結果は大同小異で、所要のスペースは広く、全てを横臥・床置きするスペースを確保できない場合もあって危険を伴い、また長期にわたることが多いことから、建屋の建設や機器の据え付け作業に障害となる場合も発生していた。こうした事情から、かねてから、安全で保管・請け出しの作業性に優れ、他の作業の妨げとならない保管場所とスペースを確保し、併せて配管作業にも便利な形態で保管できることが求められていた。
【０００４】
【発明が解決しようとする課題】
本発明は上記の事情に鑑みてなされたもので、たとえば原子力発電所等の建設現場の実態に即した、配管用素材の合理的な保管手段を提供することを目的とする。
【０００５】
【課題を解決するための手段】
上記の目的を達成するための請求項１に記載の発明は、夫々長手方向が重力方向に位置するように、コンクリートの壁面に設けた取付部材（１）を介して着脱自在にその壁面に並列固定され、その長手方向に互いに離間して一対づつのＵボルト取付孔（２）が、複数組設けられた長尺な一対のラック枠（３）と、
そのラック枠（３）の夫々の一対のＵボルト取付孔（２）に両脚部が着脱自在に締結される複数のＵボルト（４）と、を具備し、
前記ラック枠（３）は、壁面側に位置する壁面側長尺材（３ａ）を有し、その壁面側長尺材（３ａ）に非壁面側から被仮置き配管（５）を水平に挿脱自在に挿入出来るように、その壁面側長尺材（３ａ）の非壁面側は開放されまたは、開放可能に形成され、
被仮置き配管（５）が、一対の前記ラック枠（３）に横架されると共に、その両ラック枠（３）に取りつけた前記Ｕボルト（４）により、その被仮置き配管（５）が両ラック枠（３）に締結固定される配管仮置きラックである。
【０００６】
請求項２に記載の発明は、請求項１において、
夫々のラック枠（３）は、
前記壁面側長尺材（３ａ）にその長手方向に互いに離間して、夫々の一端が着脱自在に締結固定されて、前記非壁面側に突設されると共に、一対の前記Ｕボルト取付孔（２）が穿設された複数の横部材（３ｂ）と、
隣り合う前記横部材（３ｂ）の他端どうしを着脱自在に連結する縦部材（３ｃ）
と、により梯子状に組み立てられる配管仮置きラックである。
【０００７】
請求項３に記載の発明は、請求項１または請求項２において、
夫々の前記ラック枠（３）の上端に吊り上げ材（６）が設けられた配管仮置きックである。
【０００８】
請求項４に記載の発明は、請求項１〜請求項３のいずれかにおいて、
壁面の前記取付部材（１）は、ラック枠（３）の下端部を支持する下端支持材（１Ｄ）と、ラック枠（３）の上端部を支持する上端支持材（１Ｕ）と、を有し、その下端支持材（１Ｄ）は、直角三角形に形成され、直角部が壁面に当接してアンカー等の固定具を介して固定された受けブラケット（１ａ）と、該受けブラケット（１ａ）の上面水平部に載置・固定された渡し材（１ｂ）と、を有し、  前記上端支持材（１Ｕ）は、僅かに離間して壁面から平行に突設された一対の案内部材（１ｘ）と、夫々の案内部材（１ｘ）を一体化する連結部材（１ｙ）とを有する配管仮置きラックである。
【０００９】
請求項５に記載の発明は、請求項３に記載の配管仮置きラックを用い、
並列された一対の前記ラック枠（３）に、複数の被仮置き配管（５）を並列横架すると共に、夫々のラック枠（３）の前記Ｕボルト（４）でその被仮置き配管（５）を、前記両ラック枠（３）に締結固定する工程と、
次いで、前記吊り上げ材（６）をクレーンで吊り上げ、そのラック枠（３）を壁面の取付部材（１）を介して壁面に固定する工程と、
を有する配管仮置きラックの取付方法である。
【００１０】
請求項６に記載の発明は、請求項１において、
夫々の前記ラック枠（３）が、前記壁面側長尺材（３ａ）と、その壁面側長尺材（３ａ）の長手方向に離間して一対づつの複数組設けられた前記Ｕボルト取付孔（２）と、を有し、
その壁面側長尺材（３ａ）の上下両端部が、壁面にアンカーで構成された取付部材（１）を介して着脱自在に固定されると共に、前記Ｕボルト取付孔（２）に着脱自在に設けられたＵボルト（４）により被仮置き配管（５）が締結固定される配管仮置きラックである。
【００１１】
【発明の実施の形態】
次に、本発明の実施の形態を図面により説明する。
図１は本発明の配管仮置きラックの１例を示す側面図（Ａ）および正面図（Ｂ）、図２はその配管仮置きラックのラック枠３の要部側面図（Ａ）、平面図（Ｂ）、および正面図（Ｃ）、図３は同仮置きラックの取付部材１のうち、下端支持材１Ｄの側面図（Ａ）、平面図（Ｂ）、および正面図（Ｃ）、図４は同取付部材１のうち、上端支持材１Ｕを示す平面図（Ａ）および正面図（Ｂ）、図５は本発明の配管仮置きラックの取付方法について、被仮置き配管５を一対のラック枠３に締結固定する要領を左から右に順に説明する側面図、図６は図５の配管仮置きラックの取付方法について、被仮置き配管５を固定後、吊り上げ材６をクレーンで吊り上げた状況を示す正面図である。
図７は本発明の配管仮置きラックの更に別の１例を示す側面図（Ａ）、正面図（Ｂ）、およびＰ部詳細図（Ｃ）、図８は図７に示す配管仮置きラックの取付部材１を示す側断面図である。
【００１２】
本発明による配管仮置きラックの第１の例は、壁面７に水平方向に互いに離間して配置される一対のラック枠３（図１（Ｂ）では右側を省略）と、その下端および上端を夫々支持する取付部材１とを有する。
そのラック枠３は、壁面７側に位置する壁面側長尺材３ａを有し、その壁面側長尺材３ａに図５の（ａ）から始まり（ｂ）〜（ｇ）のように順次、下段から上段に被仮置き配管５がＵボルト４を介して横部材３ｂに締結されると共に、その横部材３ｂに縦部材３ｃがボルト等の締結具を介して順次接続されて、梯子状に組立てられる。
【００１３】
図２はそのラック枠３の中間部における要部を示し、壁面側長尺材３ａにその長手方向に互いに離間して複数の横部材３ｂの夫々の一端が着脱自在に締結固定される。そして隣り合う前記横部材３ｂの他端どうが縦部材３ｃで着脱自在に連結される。
なお、その横部材３ｂの他端には縦部材３ｃを連結するための接続片３ｂ１が突設されている。この例の接続片３ｂ１は横部材３ｂに溶接接続されている。なお、それに代えてボルト接続しても良い。また、図２の例では、壁面側長尺材３ａと縦部材３ｃとに溝形鋼が用いられ、横部材３ｂに山形鋼が用いられているが製作性・組立性が良くラック枠３の機能を構成できれば他の鋼材を自在に選択できる。
【００１４】
ラック枠３の上端には、図１に示す、吊り上げ材６が設けらている。吊り上げ材６の吊り上げ容量は、ラック枠３の重量を対象とするものではなく、少なくとも、ラック枠３自体の重量と、一対のラック枠３に締結固定される被仮置き配管５の重量の半分と、の合計に対応するものである。すなわち一対のラック枠３に締結固定された被仮置き配管の全体重量を、両ラック枠３の上端の、合計２個の吊り上げ材６によって懸垂できるものである。
なお、図１の例では、吊り上げ材６がラック枠の天端に溶接接続されている。しかし、構造上は、溶接接続でもボルト接続でも良く、また、図示は省略されているが、最上段の横部材３ｂが安定に懸垂できる吊り穴を備えていても良い。
【００１５】
このラック枠３を壁面７に着脱自在に取り付ける取付部材１は、図３および図４の如く、形成されている。
取付部材１は、そのラック枠３の下端部を支持する図３の下端支持材１Ｄと、図４に示したラック枠３の上端部を支持する上端支持材１Ｕとを有する。
図３において下端支持材１Ｄは直角三角形に形成され、その直角部が壁面に当設してアンカー等の固定具を介して左右に離間して固定された一対の受けブラケット１ａと、一対の受けブラケット１ａの上面水平部に載置・固定された２本の渡し材１ｂと、で構成されている。ここでアンカー等の固定具は、受けブラケット１ａごとに最上部の少なくとも１カ所に設けられる。また、図示は省略されているが、通常、渡し材１ｂは受けブラケット１ａに番線等の針金で固定することができる。
【００１６】
また、図４において上端支持材１Ｕは、壁面側長尺材３ａを挟み、僅かに離間して壁面から平行に突設された一対の案内部材１ｘと、夫々の案内部材１ｘを一体化する連結部材１ｙと、によって構成されている。図４において連結部材１ｙは案内部材１ｘに溶接接続されているが、一対の案内部材１ｘの間隔の微調節が可能なようにボルト締結構造とすることもできる。壁面への固定には、この場合も受けブラケット１ａと同様に、アンカー等の固定具が用いられる。
【００１７】
図５および図６に、本発明の配管仮置きラックの取付方法を示す。図５は被仮置き配管５を一対のラック枠に順次、締結固定する要領を説明する側面図である。これは、並列された一対のラック枠３に、複数の被仮置き配管５を並列横架すると共に、Ｕボルト４でその被仮置き配管５を両ラック枠３に固定する工程を示すものである。
そして、容量一杯のｎ個の被仮置き配管５が組み上げられた後、図６に示すようにして前記吊り上げ材６がクレーンで吊り上げられ、そのラック枠３が壁面の取付部材１を介して壁面に固定される。
【００１８】
図７に本発明の配管仮置きラックの更に別の１例について示す。
図７におけるラック枠３は壁面側長尺材３ａのみにより構成され、該壁面側長尺材３ａの長手方向に離間して一対づつ複数組設けられたＵボルト取付孔２を有し、該Ｕボルト取付孔２に着脱自在に設けられたＵボルト４によって被仮置き配管５が締結固定されている。ここで、壁面側長尺材３ａは溝形鋼を素材として構成されているが、Ｉ形鋼でも良く、また形鋼に限定されるものでもない。
【００１９】
また図８に、図７のラック枠３をコンクリート壁面に着脱自在に固定する取付部材１を示す。この取付部材１は、図３及び図４に示す取付部材１をコンクリート壁面に着脱自在に固定するアンカーを用いることができる。これは通常、インサートコネクタと呼称される。このインサートコネクタは、コンクリート壁面に埋設されてボルト孔１Ａａ１を有する埋設金具１Ａａと、埋設金具１Ａａに螺着されて鍔１Ａｂ１を有するアンカーボルト１Ａｂと、該アンカーボルト１Ａｂに螺着される取付ナット１Ａｃと、により構成される。ここで鍔１Ａｂ１はアンカーボルト１Ａｂと一体である必然性はなく、埋設金具１Ａａとラック枠３との間にあってリング状に形成されたもので、壁面から突出し、撤去可能に構成することもできる。すなわち、本発明においては、図７のラック枠３の上下両端部が、下端支持材１Ｄや上端支持材１Ｕを介することなく、インサートコネクタ自体を取付部材１として、直接、壁面に着脱自在に固定されるように構成されている。
【００２０】
次に図面を参照して、上記各種の配管仮置きラックの作用を説明する。
図１に示すように建屋の壁面に設けられた配管仮置きラックは、配管用の素材を被仮置き配管５として、建屋の壁面を利用して保管するものであり、かつては予想されなかった新たな保管スペースを提供することができる。しかも、配管仮置きラックは着脱自在に構成されたので、撤去後は、アンカー等の固定具以外には壁面に痕跡を残すことがない利点がある。
また、そのラック枠３は、Ｕボルト４によって被仮置き配管５を保持するように構成されたので、保管のための被仮置き配管５の固定作業や、請け出しのためのＵボルトの締結解除作業を極めて容易に行うことができる。更に、ラック枠３は、被仮置き配管が壁面に垂直方向に挿脱自在となるよう、壁面側長尺材３ａの非壁面側が解放されまたは、解放可能に構成されたので、必要に応じて指定の被仮置き配管５を請け出すことができるのみならず、予め配管作業において必要とする順に従って被仮置き配管を組み付けておけば、配管素材の請け出しを含めた配管作業を能率的に進めることができる。
【００２１】
図２においてラック枠３は梯子状に形成されて、被仮置き配管５が両端を横部材３ｂに支持され、Ｕボルト４によって位置を固定されている。すなわち、被仮置き配管５を安定堅牢に保管することができる。また、被仮置き配管５の請け出しに際しては、Ｕボルト４を外し、縦部材３ｃを撤去すれば、壁面に垂直方向に取り出すことができる。
この場合、縦部材３ｃの撤去は、接続片３ｂ１と一体のまま、すなわち、接続片３ｂ１と横部材３ｂとのボルト接続を解いて撤去できる方が、前記非壁面側の開放度をより高めることができる利点がある。
【００２２】
また一対のラック枠３と、これらラック枠３にＵボルト４によって着脱自在に締結固定された被仮置き配管５と、の全重量を懸垂できるように、ラック枠３が所要の容量を有する吊り上げ材６を備えているので、図６に示すようにこれらの全体を懸垂することができる。すなわち、被仮置き配管５をＵボルト４によって一対のラック枠３に締結固定する作業を、壁面でなく、作業性の良い地上で実施したのち、壁面に固定することができる。また、被仮置き配管の請け出しに際しても一対のラック枠３と、これらに締結固定された被仮置き配管５とを一体のまま壁面から吊り降ろし、Ｕボルト４の締結を解く作業を、作業性の良い地上で実施することができる
すなわち、被仮置き配管５の保管作業に当たり、安全で作業性の良い配管仮置きラックを提供できる。
【００２３】
図３において、下端支持材１Ｄは、その渡し材１ｂが直接、ラック枠３を搭載し、ラック枠３および仮置き配管５の全重量を支持する。その重量は、受けブラケット１ａの上端で、これを壁面に固定するアンカー等の固定具に伝達される。
すなわち、アンカー等の固定具には、前記全重量により、主として壁面に平行なせん断応力と、受けブラケット１ｂの下端を支点とする力のモーメントによる引張応力とが作用する。そこで固定具が、これらによる応力に耐えるように設計されるなら信頼性の高い重量支持機構を構成できる。
【００２４】
いっぽう、図４において上端支持材１Ｕは、その連結部材１ｙが壁面側長尺材３ａを壁面に押し当てて固定するもので、主として壁面長尺材３ａの転倒を防ぐ作用を有する。この場合、アンカー等の固定具には主として張力が働くが、固定具がこの張力に耐えるように設計されるなら、信頼性の高い転倒防止機構を構成できる。
これらの応力設計には何らの困難を伴うものではなく、従って下端支持材１Ｄと上端支持材１Ｕとは、夫々が固有の機能を備えて信頼性の高い取付部材１としての機能を発揮できる。
【００２５】
ところで、前記取付部材１を固定するためにコンクリート壁面にアンカー等の固定具を設置するには、壁面コンクリートの打設時に、予め、例えばインサートコネクタを埋設する、或いは壁面コンクリートの打設後に、壁面を穿ち、そこにインサートコネクタを埋設・固化する、等の方法がある。
前者では、一連の作業を手順の中で消化することができ、後戻りが無く能率的であるが、一般にコンクリートの打設によってインサートコネクタの設定位置が狂いやすく、壁面上の所要の相対位置精度を確保しにくい面がある。いっぽう後者では、例えば取付部材１のアンカーボルト孔の位置に合わせ、いわゆる合わせ加工を行うことにより、相対位置精度は容易に確保できるが、現物の相対位置を壁面に移し、壁面を穿ち、インサートコネクタと固化剤を挿入・充填し、固化を待つ等の、繁雑な作業と多大な時間の消耗を伴う悩みがある。
【００２６】
この意味から前記の取付部材１の構成は、下端支持材１Ｄと上端支持材１Ｕとの全体について、予めインサートコネクタを埋設できる能率的・経済的な取付方法の採用を可能にしている。
すなわち、下端支持材１Ｄ用の一対のインサートコネクタについては、左右の間隔の設置誤差は何らの影響を有さず、相対的な高さ方向の設置誤差も組立不能等の致命的な欠陥を生じない。また、下端支持材１Ｄ用のインサートコネクタに対する上端支持材１Ｕ用の一対のインサートコネクタの設置誤差は、上下、左右とも何らの影響を有さず、上端支持材１Ｕ用の一対の距離だけが、単独に精度を必要としている。しかし、この距離は元来短く、コンクリート打設の影響を確実に避けるための養生作業は容易である。また、前述したように、一対の案内部材１ｘどうしの間隔の微調節が可能なようにボルト締結構造とすることもできる。
すなわち、本取付部材１は、組立作業性に優れた配管仮置きラックを提供できる基本要素を提供している。
【００２７】
図７に示すラック枠３は、壁面側長尺材３ａがＵボルト取付孔２を備えたので、壁面側長尺材３ａのみによって構成され、極めて単純な構造によって機能を満たすことができる。この場合、Ｕボルト４用の一対のボルト孔２は、壁面側長尺材３ａ上で上下に位置している。このため、図１、図２に示したように横部材３ｂが被仮置き配管５の重量を支持したのと違い、Ｕボルト４自体が被仮置き配管５の重量を支持する機能を果たす必要がある。しかも、Ｕボルト４には被仮置き配管５の重量により、単純な引張り応力でなく、せん断応力や曲げ応力が働いている。
【００２８】
またこの場合に、被仮置き配管５を壁面長尺材３ａに固定するには、その作業性の良さから、地上に横臥させた壁面長尺材３ａに被仮置き配管５を載置してＵボルト４による締結固定が行われ、その後、壁面側長尺材３ａは、直立姿勢に変更されて壁面に取りつけられる。Ｕボルト４は、このとき初めて被仮置き配管５の重量を受け止め、微妙に変形してＵボルト４の締結に緩み等の不安定を生ずる可能性が予想される。
図７のＰ部詳細に示す締結構成は、この問題に対処できるように構成されたものである。すなわち、先ず、位置決めナット４ｃとロックナット４ｂとにより被仮置き配管５を固定し、ロックナット４ｂを位置決めナット４ｃに対して締結してＵボルト４に対するこれら２つのナットの位置を定める。次いで締結ナット４ａによってラック枠３を締結把持させることにより、被仮置き配管５の確実な固定を可能にしている。
【００２９】
図７及び図８に示すインサートコネクタは、既に述べたように図３、図４に示す上端支持材１Ｕや下端支持材１Ｄを必要とせず、インサートコネクタが単独で取付部材１を構成して、ラック枠３をコンクリート壁面に固定できる。すなわち、取付部材１としては極めて単純な構造を有する配管仮置きラックを提供できる。この面では製作性、信頼性、保管の作業性、経済性に優れている。
【００３０】
【発明の効果】
以上のように請求項１に記載の発明によれば、かつては予想されなかった新たな保管スペースを確保し、且つ保管手段としての配管仮置きラックを提供することができる。しかも、撤去後はアンカー等の固定具以外には壁面に痕跡を残すことがない。
請求項２に記載の発明によれば、堅牢なラック枠３により、被仮置き配管５を長期にわたり安全に保管できる配管仮置きラックを提供できる。
【００３１】
請求項３に記載の発明によれば、ラック枠３と被仮置き配管５とを組み上げた一体構造物を懸垂して壁面への着脱ができるので、保管・請け出し作業を能率的に実施できる配管仮置きラックを提供できる。
請求項４に記載の発明によれば、下端支持材１Ｄと上端支持材１Ｕと、により構成される取付部材１を備えたので、壁面コンクリートの打設時にアンカー等の固定具を能率的に敷設することができ、組立作業性に優れた配管仮置きラックを提供できる。
【００３２】
請求項５に記載の発明によれば、被仮置き配管５をラック枠３に着脱する作業を作業性の良い地上で行うことができ、その後ラック枠３をクレーンで吊り上げて壁面に取りつけ得るので、被仮置き配管５の能率的な保管・請け出しが可能な配管仮置きラックの取付方法を提供できる。
請求項６に記載の発明によれば、壁面側長尺材３ａだけで構成されたラック枠３と、アンカー等の固定具だけで構成された取付部材１と、を備えた配管仮置きラックを構成したので、製作性・経済性に優れた配管仮置きラックを提供できる。
【図面の簡単な説明】
【図１】本発明の配管仮置きラックの１例を示す側面図および正面図。
【図２】同仮置きラックのラック枠３の要部を示す側面図、平面図、および正面図。
【図３】同仮置きラックの取付部材１のうち、下端支持材１Ｄだけを示す側面図、平面図、および正面図。
【図４】同取付部材１のうち、上端支持材１Ｕを示す平面図および正面図。
【図５】本発明の配管仮置きラックの取付方法について、被仮置き配管５を一対のラック枠３に締結固定する要領を、順次左から右に進行する工程で説明する側面図。
【図６】図５の配管仮置きラックの取付方法について、被仮置き配管５を固定後、吊り上げ材６をクレーンで吊り上げた状況を示す正面図。
【図７】本発明の配管仮置きラックの別の１例を示す側面図、正面図、およびＰ部詳細図。
【図８】図７の仮置きラックの取付部材１を示す側断面図。
【符号の説明】
１  取付部材
１Ａａ  埋設金具
１Ａａ１  ボルト孔
１Ａｂ  アンカーボルト
１Ａｂ１  鍔
１Ａｃ  取付ナット
１Ｄ  下端支持材
１ａ  受けブラケット
１ｂ  渡し材
１Ｕ  上端支持材
１ｘ  案内部材
１ｙ  連結部材
２  Ｕボルト取付孔
３  ラック枠
３ａ  壁面側長尺材
３ｂ  横部材
３ｂ１  接続片
３ｃ  縦部材
４  Ｕボルト
４ａ  締結ナット
４ｂ  ロックナット
４ｃ  位置決めナット
５  被仮置き配管
６  吊り上げ材
７  壁面
【図１】
0004387615.tif 000002
【図２】
0004387615.tif 000003
【図３】
0004387615.tif 000004
【図４】
0004387615.tif 000005
【図５】
0004387615.tif 000006
【図６】
0004387615.tif 000007
【図７】
0004387615.tif 000008
【図８】
0004387615.tif 000009